(57)【要約】【課題】  制御装置１０と発信移動端末との間で通信ができない場合であっても、アドホックネットワーク内における発信移動端末と宛先移動端末との間の通信を実現する。【解決手段】  本発明に係る制御装置１０は、アドホックネットワークに属する移動端末３０から、移動端末３０における通信環境を示す通信環境情報を取得する通信環境情報取得部１１と、取得した通信環境情報が所定条件を満たす場合に、アドホックネットワークに属する所定の移動端末３０Ａに対して、制御装置１０の代わりに通信の制御を行うための代理制御情報を送信する代理制御情報送信部１３とを具備する。【選択図】  図２
2006140617.tif 000002
【特許請求の範囲】
【請求項１】
アドホックネットワークに属する移動端末の通信を制御する制御装置であって、
前記アドホックネットワークに属する移動端末から、該移動端末における通信環境を示す通信環境情報を取得する通信環境情報取得部と、
取得した前記通信環境情報が所定条件を満たす場合に、前記アドホックネットワークに属する所定の移動端末に対して、前記制御装置の代わりに前記通信の制御を行うための代理制御情報を送信する代理制御情報送信部とを具備することを特徴とする制御装置。
【請求項２】
前記アドホックネットワークに属する移動端末と前記制御装置との間のコネクションが復旧した場合に、前記所定の移動端末が前記制御装置の代わりに行った前記通信の制御の結果を受信する通信制御結果受信部を具備することを特徴とする請求項１に記載の制御装置。
【請求項３】
前記移動端末における前記通信環境情報は、該移動端末における電波状況であることを特徴とする請求項１又は２に記載の制御装置。
【請求項４】
前記移動端末の通信の制御は、前記アドホックネットワークネットワークを介したルーティング制御であることを特徴とする請求項１乃至３のいずれか一項に記載の制御装置。
【請求項５】
アドホックネットワークに属する移動端末であって、
所定の制御装置に対して、前記移動端末における通信環境を示す通信環境情報を送信する通信環境情報送信部と、
前記通信環境情報が所定条件を満たす場合に前記所定の制御装置によって送信された代理制御情報を受信する代理制御情報受信部と、
遅くとも前記移動端末と前記所定の制御装置との間のコネクションが切断された場合には、受信した前記代理制御情報に基づいて、該所定の制御装置の代わりに前記アドホックネットワークに属する移動端末の通信の制御を行う代理制御部とを具備することを特徴とする移動端末。
【請求項６】
前記移動端末と前記制御装置との間のコネクションが復旧した場合に、前記所定の制御装置に対して、該所定の制御装置の代わりに行った前記通信の制御の結果を送信する通信制御結果送信部を具備することを特徴とする請求項５に記載の移動端末。
【請求項７】
アドホックネットワークに属する移動端末の通信を制御する移動通信方法であって、
制御装置が、前記アドホックネットワークに属する移動端末から、該移動端末における通信環境を示す通信環境情報を取得する工程と、
前記制御装置が、取得した前記通信環境情報が所定条件を満たす場合に、前記アドホックネットワークに属する所定の移動端末に対して、前記制御装置の代わりに前記通信の制御を行うための代理制御情報を送信する工程と、
遅くとも前記アドホックネットワークに属する移動端末と前記所定の制御装置との間のコネクションが切断された場合に、前記所定の移動端末が、受信した前記代理制御情報に基づいて、該所定の制御装置の代わりに前記アドホックネットワークに属する移動端末の通信の制御を行う工程とを有することを特徴とする移動通信方法。
【発明の詳細な説明】
【技術分野】
【０００１】
本発明は、アドホックネットワークに属する移動端末の通信を制御する移動通信方法、かかる移動通信方法を実現する制御装置及び移動端末に関する。
【背景技術】
【０００２】
従来、制御装置が、アドホックネットワークに属する発信移動端末及び着信移動端末の位置情報に基づいて、発信移動端末に対して宛先移動端末へのルーティング情報を提供することによって、かかるアドホックネットワーク内で発信移動端末と宛先移動端末との間の通信を実現させる移動通信方法が知られている。
【特許文献１】特許第３５１５０２７号公報
【発明の開示】
【発明が解決しようとする課題】
【０００３】
しかしながら、従来の移動通信方法では、制御装置と発信移動端末との間で通信ができない場合、発信移動端末が、宛先移動端末へのルーティング情報を制御装置から取得することができず、アドホックネットワーク内における発信移動端末と宛先移動端末との間の通信を実現することができなくなるという問題点があった。
【０００４】
そこで、本発明は、以上の点に鑑みてなされたもので、制御装置と発信移動端末との間で通信ができない場合であっても、アドホックネットワーク内における発信移動端末と宛先移動端末との間の通信を実現することを可能とする移動通信方法、及び、かかる移動通信方法で用いられる制御装置及び移動端末を提供することを目的とする。
【課題を解決するための手段】
【０００５】
本発明の第１の特徴は、アドホックネットワークに属する移動端末の通信を制御する制御装置であって、前記アドホックネットワークに属する移動端末から、該移動端末における通信環境を示す通信環境情報を取得する通信環境情報取得部と、取得した前記通信環境情報が所定条件を満たす場合に、前記アドホックネットワークに属する所定の移動端末に対して、前記制御装置の代わりに前記通信の制御を行うための代理制御情報を送信する代理制御情報送信部とを具備することを要旨とする。
【０００６】
かかる発明によれば、制御装置の代理制御情報送信部が、所定条件を満たす場合（例えば、制御装置と発信移動端末との間の電波状況が悪くなってきた場合）であっても、所定の移動端末に対して代理制御情報を送信することによって、所定の移動端末が、制御装置から送信された代理制御情報を用いて、制御装置の代わりに、アドホックネットワークに属する移動端末に対して所定のサービス（例えば、ルーティング情報提供サービス）を提供することができる。
【０００７】
本発明の第１の特徴において、前記アドホックネットワークに属する移動端末と前記制御装置との間のコネクションが復旧した場合に、前記所定の移動端末が前記制御装置の代わりに行った前記通信の制御の結果を受信する通信制御結果受信部を具備してもよい。
【０００８】
かかる発明によれば、制御装置は、所定の移動端末による通信の制御の結果を用いて、迅速かつ容易に、アドホックネットワークに属する移動端末に対して所定のサービス（例えば、ルーティング情報提供サービス）の提供を再開することができる。
【０００９】
本発明の第１の特徴において、前記移動端末における前記通信環境情報が、該移動端末における電波状況であってもよい。
【００１０】
本発明の第１の特徴において、前記移動端末の通信の制御が、前記アドホックネットワークネットワークを介したルーティング制御であってもよい。
【００１１】
本発明の第２の特徴は、アドホックネットワークに属する移動端末であって、所定の制御装置に対して、前記移動端末における通信環境を示す通信環境情報を送信する通信環境情報送信部と、前記通信環境情報が所定条件を満たす場合に前記所定の制御装置によって送信された代理制御情報を受信する代理制御情報受信部と、遅くとも前記移動端末と前記所定の制御装置との間のコネクションが切断された場合には、受信した前記代理制御情報に基づいて、該所定の制御装置の代わりに前記アドホックネットワークに属する移動端末の通信の制御を行う代理制御部とを具備することを要旨とする。
【００１２】
本発明の第２の特徴において、前記移動端末と前記制御装置との間のコネクションが復旧した場合に、前記所定の制御装置に対して、該所定の制御装置の代わりに行った前記通信の制御の結果を送信する通信制御結果送信部を具備してもよい。
【００１３】
本発明の第３の特徴は、アドホックネットワークに属する移動端末の通信を制御する移動通信方法であって、制御装置が、前記アドホックネットワークに属する移動端末から、該移動端末における通信環境を示す通信環境情報を取得する工程と、前記制御装置が、取得した前記通信環境情報が所定条件を満たす場合に、前記アドホックネットワークに属する所定の移動端末に対して、前記制御装置の代わりに前記通信の制御を行うための代理制御情報を送信する工程と、遅くとも前記アドホックネットワークに属する移動端末と前記所定の制御装置との間のコネクションが切断された場合に、前記所定の移動端末が、受信した前記代理制御情報に基づいて、該所定の制御装置の代わりに前記アドホックネットワークに属する移動端末の通信の制御を行う工程とを有することを要旨とする。
【発明の効果】
【００１４】
以上説明したように、本発明によれば、制御装置と発信移動端末との間で通信ができない場合であっても、アドホックネットワーク内における発信移動端末と宛先移動端末との間の通信を実現することを可能とする移動通信方法、及び、かかる移動通信方法で用いられる制御装置及び移動端末を提供することができる。
【発明を実施するための最良の形態】
【００１５】
（本発明の第１の実施形態に係る移動通信システムの構成）
図１乃至図３を参照して、本発明の第１の実施形態に係る移動通信システムの構成について説明する。図１に示すように、本実施形態に係る移動通信システムは、アシスト制御装置１０と、複数の移動端末３０Ａ乃至３０Ｃとを具備している。
【００１６】
アシスト制御装置１０は、例えば、公衆移動通信ネットワーク等によって構成されるアシストネットワーク内に設けられている。また、複数の移動端末３０Ａ乃至３０Ｃは、公衆移動通信ネットワークを介することなく、互いに直接通信を行うことによって、アドホックネットワークを形成するように構成されている。
【００１７】
アシスト制御装置１０は、アドホックネットワークに属する移動端末の通信を制御する制御装置である。具体的には、図２に示すように、アシスト制御装置１０は、アシスト処理部１０ａと、通信環境情報取得部１１と、孤立タイミング予測部１２と、事前アシスト処理部１３と、コネクション管理部１４と、事後アシスト処理部１５とを具備している。
【００１８】
アシスト処理部１０ａは、アドホックネットワークに属する移動端末３０Ａ乃至３０Ｃに対して所定のサービスを提供することによって、当該アドホックネットワークにおける当該移動端末３０Ａ乃至３０Ｃの通信を制御するものである。
【００１９】
例えば、アシスト処理部１０ａは、アドホックネットワークに属する発信移動端末及び着信移動端末の位置情報に基づいて、発信移動端末に対して宛先移動端末へのルーティング情報を提供することによって、かかるアドホックネットワークを介した発信移動端末と宛先移動端末との間のルーティング制御を行うことができる。
【００２０】
通信環境取得部１１は、アドホックネットワークに属する移動端末３０Ａ乃至３０Ｃから、当該移動端末３０Ａ乃至３０Ｃにおける通信環境を示す通信環境情報を取得するものである。
【００２１】
通信環境取得部１１は、通信環境情報として、当該移動端末３０Ａ乃至３０Ｃにおける電波状況を取得するように構成されている。電波状況としては、当該移動端末３０Ａ乃至３０Ｃにおける受信電力や受信ＳＩＲや受信ＣＩＲ等が挙げられる。なお、通信環境取得部１１は、移動端末３０Ａ乃至３０Ｃにおける通信環境を示す情報であれば、電波状況以外の情報を、通信環境情報として取得するように構成されていてもよい。
【００２２】
また、通信環境取得部１１は、移動端末３０Ａ乃至３０Ｃから送信されるのを待って通信環境情報を取得するように構成されていてもよいし、所定のタイミングで移動端末３０Ａ乃至３０Ｃに対して通信環境情報取得要求を送信することによって通信環境情報を取得するように構成されていてもよい。
【００２３】
孤立タイミング予測部１２は、取得した通信環境情報が所定条件を満たすか否かについて判断するものである。具体的には、孤立タイミング予測部１２は、取得した通信環境情報が所定条件を満たす場合、もうすぐアシスト制御装置１０と移動端末３０Ａ乃至３０Ｃとの間のコネクションが切断される（すなわち、もうすぐ当該移動端末３０Ａ乃至３０Ｃによって形成されているアドホックネットワークが孤立する）と予測する。
【００２４】
例えば、孤立タイミング予測部１２は、移動端末３０Ａ乃至３０Ｃにおける受信電力や受信ＳＩＲや受信ＣＩＲの平均値が所定の閾値以下となった場合等に、取得した通信環境情報が所定条件を満たすと判断する。
【００２５】
また、孤立タイミング予測部１２は、所定条件を複数準備しておき、取得した通信環境情報が満たす所定条件に基づいて、当該移動端末３０Ａ乃至３０Ｃによって形成されているアドホックネットワークが孤立するタイミングを予測するように構成されていてもよい。
【００２６】
例えば、孤立タイミング予測部１２は、移動端末３０Ａ乃至３０Ｃにおける受信電力や受信ＳＩＲや受信ＣＩＲの平均値が第１の閾値以下となった場合、１０秒後にアシスト制御装置１０と移動端末３０Ａ乃至３０Ｃとの間のコネクションが切断される（すなわち、孤立タイミングは１０秒後である）と予測し、移動端末３０Ａ乃至３０Ｃにおける受信電力や受信ＳＩＲや受信ＣＩＲの平均値が第２の閾値（第１の閾値＞第２の閾値）以下となった場合、１秒後にアシスト制御装置１０と移動端末３０Ａ乃至３０Ｃとの間のコネクションが切断されるすなわち、孤立タイミングは１秒後である）と予測する。
【００２７】
事前アシスト処理部１３は、孤立タイミング予測部１２による判断結果に基づいて、アドホックネットワークに属する所定の移動端末に対して、アシスト処理部１０ａの代わりに通信の制御を行うように指示するものである。
【００２８】
具体的には、事前アシスト処理部１３は、アドホックネットワークに属する所定の移動端末（例えば、移動端末３０Ａ）に対して、アシスト制御装置１０のアシスト処理部１０ａの代わりに、アドホックネットワーク内における移動端末間の通信の制御を行うための代理制御情報を送信する。
【００２９】
例えば、代理制御情報には、もうすぐアシスト制御装置１０と移動端末３０Ａ乃至３０Ｃとの間のコネクションが切断される（すなわち、もうすぐ当該移動端末３０Ａ乃至３０Ｃによって形成されているアドホックネットワークが孤立する）と予測した旨や、孤立タイミングや、アドホックネットワーク内における移動端末間の通信の制御を行うのに必要なプログラムやデータ（例えば、ルーティング制御を行うためのプログラム及び移動端末３０Ａ乃至３０Ｃの位置情報等）等が含まれる。
【００３０】
また、事前アシスト処理部１３は、孤立タイミング予測部１２によって予測された孤立タイミングに基づいて、上述の代理制御情報を送信するタイミングを調整するように構成されていてもよい。
【００３１】
また、事前アシスト処理部１３は、１つの移動端末に対して上述の代理制御情報を送信するのではなく、複数の移動端末に対して上述の代理制御情報を送信することによって、アシスト処理部１０ａの代わりに通信の制御を行うように指示してもよい。
【００３２】
コネクション管理部１４は、アドホックネットワークを形成する移動端末３０Ａ乃至３０Ｃとアシスト制御装置１０との間のコネクションを管理するものである。コネクション管理部１４は、かかるコネクションの復旧を検出した場合、その旨を事後アシスト処理部に通知する。
【００３３】
事後アシスト処理部１５は、アドホックネットワークに属する移動端末３０Ａ乃至３０Ｃとアシスト制御装置１０との間のコネクションが復旧した場合に、所定の移動端末がアシスト制御装置１０のアシスト処理部１０ａの代わりに行った上述の通信の制御の事後処理を行うものである。
【００３４】
具体的には、事後アシスト処理部１５は、アドホックネットワークに属する移動端末３０Ａ乃至３０Ｃとアシスト制御装置１０との間のコネクションが復旧した場合に、所定の移動端末（例えば、移動端末３０Ａ）がアシスト制御装置１０のアシスト処理部１０ａの代わりに行った通信の制御の結果を受信する。
【００３５】
そして、事後アシスト処理部１５は、受信した通信の制御の結果に基づいて、アシスト処理部１０ａが、当該アドホックネットワークにおける当該移動端末３０Ａ乃至３０Ｃの通信の制御を再開するための処理を行う。
【００３６】
例えば、事後アシスト処理部１５は、所定の移動端末から、受信した通信の制御の結果として、アドホックネットワークに属する移動端末３０Ａ乃至３０Ｃの位置情報を引き継いだり、アドホックネットワークに属する移動端末３０Ａ乃至３０Ｃ間の通信履歴を引き継いだりする。
【００３７】
次に、図３を参照して、アドホックネットワークに属する移動端末のうち、アシスト制御装置１０のアシスト処理部１０ａの代わりに通信の制御を行うことができる移動端末３０の構成について説明する。
【００３８】
図３に示すように、かかる移動端末３０は、アシストネットワークインターフェイス（Ｉ/Ｆ）３１と、アドホックネットワークインターフェイス（Ｉ/Ｆ）３２と、通信環境情報監視部３３と、アシスト処理部３４とを具備している。
【００３９】
アシストネットワークインターフェイス３１は、アシストネットワークとの間のインターフェイスの役割を果たすものである。
【００４０】
例えば、アシストネットワークインターフェイス３１は、所定のタイミングで、アシスト制御装置１０に対して、通信環境情報監視部３３によって生成された当該移動端末３０における通信環境を示す通信環境情報を送信する。
【００４１】
また、アシストネットワークインターフェイス３１は、アシスト制御装置１０から上述の代理制御情報を受信して、受信した代理制御情報をアシスト処理部３４に転送する。
【００４２】
また、アシストネットワークインターフェイス３１は、当該移動端末３０とアシスト制御装置１０との間のコネクションを管理しており、かかるコネクションが切断された場合及びかかるコネクションが切断された場合、その旨をアシスト処理部３４に通知する。
【００４３】
アドホックネットワークインターフェイス３２は、アドホックネットワークとの間のインターフェイスの役割を果たすものである。
【００４４】
アドホックネットワークインターフェイス３２は、アドホックネットワークに属する他の移動端末との間で直接通信を行うことによって、所定の情報を送受信するものである。
【００４５】
例えば、アシスト処理部３４が、アシスト制御装置１０のアシスト処理部１０ａの代わりに通信の制御を行っている期間、アドホックネットワークインターフェイス３２は、アドホックネットワークに属する他の移動端末から当該移動端末の位置情報を取得し、当該移動端末に対してルーティング情報を送信する。
【００４６】
通信環境情報監視部３３は、当該移動端末３０Ａにおける通信環境を監視することによって、通信環境情報を生成するものである。例えば、通信環境情報監視部３３は、当該移動端末３０Ａ乃至３０Ｃにおける電波状況（例えば、当該移動端末３０Ａ乃至３０Ｃにおける受信電力や受信ＳＩＲや受信ＣＩＲ等）を示す通信環境情報を生成する。
【００４７】
なお、通信環境情報監視部３３は、移動端末３０Ａ乃至３０Ｃにおける通信環境を示す情報であれば、電波状況以外の情報を含む通信環境情報を生成するように構成されていてもよい。
【００４８】
アシスト処理部３４は、遅くとも当該移動端末３０とアシスト制御装置１０との間のコネクションが切断された場合には、アシストネットワークインターフェイス３１を介して受信した代理制御情報に基づいて、アシスト制御装置１０のアシスト処理部１０ａの代わりに、アドホックネットワークに属する他の移動端末の通信の制御を行うものである。
【００４９】
例えば、アシスト処理部３４は、アドホックネットワークに属する発信移動端末及び着信移動端末の位置情報に基づいて、発信移動端末に対して宛先移動端末へのルーティング情報を提供することによって、かかるアドホックネットワークを介した発信移動端末と宛先移動端末との間のルーティング制御を行う。
【００５０】
なお、アシスト処理部３４は、遅くとも上述のコネクションが切断された場合に、上述の通信の制御を行うように構成されていればよく、上述の代理制御情報を受信してから所定期間経過後に、上述の通信の制御を行うように構成されていてもよい。
【００５１】
また、アシスト処理部３４は、当該移動端末３０とアシスト制御装置１０との間のコネクションが復旧した場合に、アシストネットワークインターフェイス３１を介して、アシスト制御装置１０に対して、アシスト制御装置１０のアシスト処理部１０ａの代わりに行った通信の制御の結果を送信する。
【００５２】
（本発明の第１の実施形態に係る移動通信システムの動作）
図４を参照して、本発明の第１の実施形態に係る移動通信システムにおいて、アドホックネットワーク内における移動端末３０Ａ乃至３０Ｂ間の通信が、アシスト制御装置１０によって制御されている状態から、所定の移動端末３０Ａ乃至３０Ｃによって自律的に制御されている状態に遷移する動作について説明する。
【００５３】
図４に示すように、ステップＳ１０００において、アシスト制御装置１０と移動端末３０Ａ乃至３０Ｃとの間でコネクションが接続されている。
【００５４】
ステップＳ１００１において、各移動端末３０Ａ乃至３０Ｃが、所定のタイミングで、アシスト制御装置１０に対して、通信環境情報を送信する。
【００５５】
ステップＳ１００２において、アシスト制御装置１０は、通信環境情報が所定条件を満たすため、もうすぐアシスト制御装置１０と移動端末３０Ａ乃至３０Ｃとの間のコネクションが切断される（すなわち、もうすぐ当該移動端末３０Ａ乃至３０Ｃによって形成されているアドホックネットワークが孤立する）と予測する。
【００５６】
ステップＳ１００３において、アシスト制御装置１０は、移動端末３０Ａ乃至３０Ｃに対して、代理制御情報を送信する。
【００５７】
ステップＳ１００４において、移動端末３０Ａ乃至３０Ｃは、受信した代理制御情報に基づいて、アドホックネットワーク内における移動端末３０Ａ乃至３０Ｃ巻の通信を自立的に制御する。
【００５８】
ステップＳ１００５において、移動端末３０Ａ乃至３０Ｃとアシスト制御装置１０との間のコネクションが復旧すると、移動端末３０Ａ乃至３０Ｃは、その旨を検出して、アシスト制御装置１０の代わりに行った通信の制御の結果を、アシスト制御装置１０に送信する。
【００５９】
ステップＳ１００６において、アシスト制御装置１０は、受信した通信の制御の結果に基づいて、移動端末３０Ａ乃至３０Ｃとアシスト制御装置１０との間のコネクションが切断されていた期間中の通信の制御状態を引き継いだ後、アドホックネットワーク内における通信の制御を行う。
【００６０】
図５の例では、移動端末ＭＴ＃１-１乃至ＭＴ＃１-３によって形成されているアドホックネットワーク＃１が孤立する直前（すなわち、アシスト制御装置１０と移動端末ＭＴ＃１-１乃至ＭＴ＃１-３との間のコネクションが切断される直前）に、アシスト制御装置１０は、所定の移動端末ＭＴ＃１-２に対して、代理制御情報（移動端末ＭＴ＃１-１乃至ＭＴ＃１-３の位置情報や、ルーティング制御プログラム等）を送信して、所定の移動端末ＭＴ＃１-２にアドホックネットワーク＃１内におけるルーティング制御を行うように指示している。
【００６１】
その結果、アドホックネットワーク＃１内では、所定の移動端末ＭＴ＃１-２が、アシスト制御装置１０の代わりに、アドホックネットワーク＃１内におけるルーティング制御を行うことによって、アドホックネットワーク＃１が孤立している場合であっても、複数のアドホックネットワーク＃１乃至＃４に渡るパケット転送に支障をきたすことはない。
【００６２】
なお、本発明は、所定の移動端末がアシスト制御装置１０のルーティング制御機能を代理するケースに限定されることなく、他のケース（例えば、所定の移動端末がアシスト制御装置１０のＡＡＡ（認証：Ａｕｔｈｅｎｔｉｃａｔｉｏｎ、許可：Ａｕｔｈｏｒｉｚａｔｉｏｎ、課金：Ａｃｃｏｕｎｔｉｎｇ）機能等を題するケース）にも適用可能である。
【００６３】
（本発明の第１の実施形態に係る移動通信システムの作用・効果）
本発明の第１の実施形態に係る移動通信システムによれば、アシスト制御装置１０の事前アシスト処理部１３が、所定条件を満たす場合（例えば、アシスト制御装置１０と発信移動端末３０との間の電波状況が悪くなってきた場合）であっても、所定の移動端末３０Ａに対して代理制御情報を送信することによって、所定の移動端末３０Ａが、アシスト制御装置１０から送信された代理制御情報を用いて、アシスト制御装置１０の代わりに、アドホックネットワークに属する移動端末３０に対して所定のサービス（例えば、ルーティング情報提供サービス）を提供することができる。
【００６４】
また、本発明の第１の実施形態に係る移動通信システムによれば、アシスト制御装置１０は、所定の移動端末３０Ａによる通信の制御の結果を用いて、迅速かつ容易に、アドホックネットワークに属する移動端末３０に対して所定のサービス（例えば、ルーティング情報提供サービス）の提供を再開することができる。
【図面の簡単な説明】
【００６５】
【図１】本発明の第１の実施形態に係る移動通信システムの全体構成図である。
【図２】本発明の第１の実施形態に係る移動通信システムのアシスト制御装置の機能ブロック図である。
【図３】本発明の第１の実施形態に係る移動通信システムの移動端末の機能ブロック図である。
【図４】本発明の第１の実施形態に係る移動通信システムの動作を示すシーケンス図である。
【図５】本発明の第１の実施形態に係る移動通信システムの動作の一例を示す図である。
【符号の説明】
【００６６】
１０…アシスト制御装置
１０ａ…アシスト処理部
１１…通信環境情報取得部
１２…孤立タイミング予測部
１３…事前アシスト処理部
１４…コネクション管理部
１５…事後アシスト処理部
３０、ＭＴ…移動端末
３１…アシストネットワークＩ/Ｆ
３２…アドホックネットワークＩ/Ｆ
３３…通信環境情報監視部
３４…アシスト処理部
【図１】
2006140617.tif 000003
【図２】
2006140617.tif 000004
【図３】
2006140617.tif 000005
【図４】
2006140617.tif 000006
【図５】
2006140617.tif 000007